(57)【要約】  本発明によれば、側壁のフレームに沿って外側に延設された第１延長部と、第１延長部の下部に離隔した状態で側壁から延設される容器収容部と、を有する容器本体；及び容器本体の上部を覆って、容器本体の内部を密閉する容器蓋；を含み、容器蓋には、第１延長部の上端面に密着される第２延長部；及び第２延長部の下端から下方に延びる鉤状を有する構造体である締結部が形成され、容器蓋を容器本体上に結合する過程において、締結部は、容器収容部の内部空間上に進入し、締結部の下端を成す鉤状は、第１延長部の下端に引っ掛かることを特徴とする水蒸気密閉容器が提供される。
2021532026.tif 000002
【特許請求の範囲】
【請求項１】
側壁のフレームに沿って外側に延設された第１延長部と、前記第１延長部の下部に離隔した状態で側壁から延設される容器収容部と、を有する容器本体と、
前記容器本体の上部を覆って、前記容器本体の内部を密閉する容器蓋と、を含み、
前記容器蓋には、
前記第１延長部の上端面に密着される第２延長部と、
前記第２延長部の下端から下方に延びる鉤状を有する構造体である締結部が形成され、
前記容器蓋を前記容器本体上に結合する過程において、前記締結部は、前記容器収容部の内部空間上に進入し、前記締結部の下端を成す鉤状は、前記第１延長部の下端に引っ掛かることを特徴とする水蒸気密閉容器。
【請求項２】
前記容器本体の第１延長部の上端と対面する第２延長部の中間部分は、上側に屈曲されて、半円形を含む形態で多様に形成されて、前記容器本体の内部で発生する水蒸気が収容される空間である収容部空間を形成する請求項１に記載の水蒸気密閉容器。
【請求項３】
前記容器蓋には、排出孔が形成され、
前記排出孔を開閉するためのチェック弁をさらに含み、
前記容器蓋は、フレキシブルな材質からなり、前記容器蓋の一側から外側に延設される取っ手をさらに備え、
前記取っ手には、前記チェック弁が差し込まれる挿入溝が形成され、
前記チェック弁は、前記排出孔に嵌め込まれる結合部（３１０）と、前記結合部の上部に形成され、前記排出孔の上面に密着されて、前記排出孔を密閉する開閉板（３２０）と、前記開閉板の上部に形成され、前記取っ手に形成された挿入溝に差し込まれるように形成された嵌挿突起（３３０）と、を備えることを特徴とする請求項１に記載の水蒸気密閉容器。
【請求項４】
前記容器蓋には、排出孔が形成され、
前記排出孔を開閉するためのチェック弁をさらに含み、
前記チェック弁は、前記排出孔を塞ぐように、前記排出孔に差し込まれ、内部に弁空間（６１２）が形成される弁胴体（６１０）と、前記弁空間に移動可能に収容されるコークス（６２０）と、前記弁空間内に収容されて、前記コークスに弾性力を加える弾性部材（６３０）と、を備え、
前記弁胴体には、前記弁空間と前記容器胴体の内部空間とを連結する内側通路（６１３）と、前記弁空間と前記容器蓋の外部とを連結する外側通路（６１４）と、が形成され、
前記弾性部材は、前記コークスが前記内側通路を塞ぐ状態を保持するように弾性力を提供することを特徴とする請求項１に記載の水蒸気密閉容器。
【請求項５】
前記容器蓋には、排出孔が形成され、
前記排出孔を開閉するためのチェック弁をさらに含み、
前記チェック弁は、前記排出孔を塞ぐように、前記排出孔に差し込まれ、内部に上端と下端とが開放された弁空間（７１２）が形成される弁胴体（７１０）と、前記弁胴体の開放された上端に移動可能に挿入される弁蓋（７２０）と、を備えることを特徴とする請求項１に記載の水蒸気密閉容器。
【発明の詳細な説明】
【技術分野】
【０００１】
本発明は、二重密着蓋を含む水蒸気などの密閉容器に係り、より詳細には、容器蓋のフレーム延長部分に収容部形状を形成して使用することにより、容器本体の内部で発生して、前記収容部に入力された水蒸気圧力によって容器蓋と容器とがさらに堅固に結合される水蒸気密閉容器に関する。
【背景技術】
【０００２】
一般的に、食品は、多様な器や容器に入れて保管される。このような食品保管容器は、一般的に内部に収容空間を提供し、開口部を有する容器本体と、その開口部を開閉する蓋と、この蓋を本体に固定する固定手段と、を備える。容器に備えられる固定手段としては、蓋または本体にヒンジで連結されて蓋を本体に互いに密封されるように固定する固定部材が多く使われている。
【０００３】
しかし、食品保管容器が４個の固定部材を容器の４側面に備える場合、ユーザは蓋を開閉する時、４個の固定部材をいちいち手で分離しなければならない煩わしさがある。また、未使用時には、大きな体積によって携帯及び保管が不便であるという問題もある。
【０００４】
一方、容器内で水蒸気を用いて容器内にある食べ物を調理するか、温める場合に、一定温度範囲内では水蒸気が外部に漏れてはならないが、それを解決するための適当な容器が存在しない。
【先行技術文献】
【特許文献】
【０００５】
【特許文献１】大韓民国登録特許第１０−１５８０１６１号
【特許文献２】大韓民国登録実用新案第２０−０４５４７１９号
【発明の概要】
【発明が解決しようとする課題】
【０００６】
本発明の目的は、水蒸気が漏れない水蒸気密閉容器を提供するところにある。
【０００７】
本発明の他の目的は、密閉容器の保管時に、体積を最小化することができる水蒸気密閉容器を提供するところにある。
【課題を解決するための手段】
【０００８】
前記本発明の目的を果たすために、本発明の一側面によれば、側壁のフレームに沿って外側に延設された第１延長部と、前記第１延長部の下部に離隔した状態で側壁から延設される容器収容部と、を有する容器本体；及び前記容器本体の上部を覆って、前記容器本体の内部を密閉する容器蓋；を含み、前記容器蓋には、前記第１延長部の上端面に密着される第２延長部；及び前記第２延長部の下端から下方に延びる鉤状を有する構造体である締結部が形成され、前記容器蓋を前記容器本体上に結合する過程において、前記締結部は、前記容器収容部の内部空間上に進入し、前記締結部の下端を成す鉤状は、前記第１延長部の下端に引っ掛かることを特徴とする水蒸気密閉容器が提供される。
【０００９】
前記容器本体の第１延長部の上端と対面する第２延長部の中間部分は、上側に屈曲されて、半円形を含む形態で多様に形成されて、前記容器本体の内部で発生する水蒸気が収容される空間である収容部空間を形成する。
【００１０】
前記容器蓋には、排出孔が形成され、前記水蒸気密閉容器は、前記排出孔を開閉するためのチェック弁をさらに含みうる。
【００１１】
前記容器蓋は、フレキシブルな材質からなり、前記容器蓋は、前記容器蓋の一側から外側に延設される取っ手をさらに備え、前記取っ手には、前記チェック弁が差し込まれる挿入溝が形成されうる。
【００１２】
前記チェック弁は、前記排出孔に嵌め込まれる結合部３１０と、前記結合部の上部に形成され、前記排出孔の上面に密着されて、前記排出孔を密閉する開閉板３２０と、前記開閉板の上部に形成され、前記取っ手に形成された挿入溝に差し込まれるように形成された嵌挿突起３３０と、を備えることができる。
【００１３】
前記チェック弁は、前記排出孔を塞ぐように、前記排出孔に差し込まれ、内部に弁空間６１２が形成される弁胴体６１０と、前記弁空間に移動可能に収容されるコークス６２０と、前記弁空間内に収容されて、前記コークスに弾性力を加える弾性部材６３０と、を備え、前記弁胴体には、前記弁空間と前記容器胴体の内部空間とを連結する内側通路６１３と、前記弁空間と前記容器蓋の外部とを連結する外側通路６１４と、が形成され、前記弾性部材は、前記コークスが前記内側通路を塞ぐ状態を保持するように弾性力を提供することができる。
【００１４】
前記弾性部材は、圧縮コイルバネであり得る。
【００１５】
前記チェック弁は、前記排出孔を塞ぐように、前記排出孔に差し込まれ、内部に上端と下端とが開放された弁空間７１２が形成される弁胴体７１０と、前記弁胴体の開放された上端に移動可能に挿入される弁蓋７２０と、を備えることができる。
【００１６】
前記水蒸気密閉容器は、前記容器蓋は、フレキシブルな材質からなり、前記容器蓋の一側に形成されて、折るか、巻き取り形態で巻かれた前記容器蓋を固定するためのフックをさらに含みうる。
【００１７】
前記蓋部は、前記第２延長部の内側先端から下に突出して、前記容器本体の側壁上端部の内面と密着する密閉部２１０をさらに備えることができる。
【発明の効果】
【００１８】
本発明による水蒸気密閉容器は、容器蓋のフレーム部分に収容部を形成して使用することにより、容器本体の内部で発生する水蒸気の圧力によって容器蓋が容器本体にさらに密着するように結合されて水蒸気が漏れない。
【００１９】
また、本発明による水蒸気密閉容器は、容器本体及び容器蓋をシリコン材にして、折るか、巻き取り形態で巻いて折った状態で取っ手に形成された挿入溝をチェック弁に形成された嵌挿突起に固定させて使用することにより、密閉容器の保管時に、体積を最小化し、特に、容器本体と容器蓋とを結合した状態でも、折るか、巻き取り形態で巻いて保管することができる。
【図面の簡単な説明】
【００２０】
【図１】本発明の一実施形態による水蒸気密閉容器の斜視図である。
【図２】図１に示された水蒸気密閉容器の分解斜視図である。
【図３】図１に示された水蒸気密閉容器の分解斜視図である。
【図４】図１に示された水蒸気密閉容器の平面図である。
【図５】図３のＡ−Ａ線に沿って切断した水蒸気密閉容器の断面図である。
【図６】図３のＡ−Ａ線に沿って切断した水蒸気密閉容器の断面図である。
【図７】図１の水蒸気密閉容器にフックが追加された状態を示す平面図である。
【図８】図７に示された水蒸気密閉容器が巻き取り形態で折れた状態を示す図面である。
【図９Ａ】本発明の他の実施形態による水蒸気密閉容器の容器本体と容器蓋との締結方式を示す図面である。
【図９Ｂ】本発明の他の実施形態による水蒸気密閉容器の容器本体と容器蓋との締結方式を示す図面である。
【図９Ｃ】本発明の他の実施形態による水蒸気密閉容器の容器本体と容器蓋との締結方式を示す図面である。
【図１０Ａ】本発明の他の実施形態による水蒸気密閉容器の容器本体と容器蓋との締結方式を示す図面である。
【図１０Ｂ】本発明の他の実施形態による水蒸気密閉容器の容器本体と容器蓋との締結方式を示す図面である。
【図１１】本発明のさらに他の実施形態による水蒸気密閉容器のチェック弁を示す図面である。
【図１２】本発明のさらに他の実施形態による水蒸気密閉容器のチェック弁を示す図面である。
【図１３】本発明のさらに他の実施形態による水蒸気密閉容器のチェック弁を示す図面である。
【図１４】本発明のさらに他の実施形態による水蒸気密閉容器のチェック弁を示す図面である。
【発明を実施するための形態】
【００２１】
以下、図面を参照して、本発明の実施形態の構成及び作用を詳しく説明する。
【００２２】
図１ないし図８を参照すれば、本発明の一実施形態による水蒸気密閉容器１０は、容器本体１００、容器蓋２００及びチェック弁３００を含む。
【００２３】
容器本体１００は、底面と底面のフレームに沿って上側に突設された側壁を備え、内部に調理された食べ物または食べ物を調理するための材料などが収容される内部空間を提供する。容器本体１００の上部は、開放されて開口部を形成する。
【００２４】
また、容器本体１００の側壁のフレームに沿って外側に水平に１次延びて、フランジ形態で形成された第１延長部１１０と、第１延長部１１０の先端から下側に折り曲げられて容器蓋２００が固定されるように、２次延長係止片１２０と、が形成される。本実施形態において、１次延長がフレームに沿って外側に水平であるとしたが、他の形状（例えば、傾いた形状）でもあり、多少凹状の溝状も可能である。重要な点は、水蒸気が集まることができる収容空間を形成させるあらゆる形状が、本発明の範囲に属するということである。
【００２５】
容器本体１００及び／または容器蓋２００は、フレキシブル（ｆｌｅｘｉｂｌｅ）に自由に曲がるか、折るか、巻き取り形態で巻かれる材質（例えば、シリコン材）で射出形成されたものが望ましいが、本発明は、これに制限されるものではない。
【００２６】
容器蓋２００は、容器本体１００の上部開口部を覆って容器本体１００の内部空間を密閉する。容器蓋２００は、容器本体１００の開口部を覆う蓋部と、密閉部２１０、第２延長部２２０、締結部２３０、取っ手２４０、排出孔２６０及び弾性フックなどを含むフック２５０を備える。
【００２７】
容器蓋２００のフレームで延設される構造は、容器本体１００の第１延長部１１０の水平延長部分１１５と対面する第２延長部２２０の中間部分が上側に屈曲されて、半円形を含む形態で多様に形成されて、容器本体１００の内部で発生する水蒸気が収容される空間である収容部２２１を形成する。
【００２８】
収容部２２１は、容器本体１００に形成される第１延長部１１０の中間部分である水平部分１１５と、水平部分１１５と対面する容器蓋２００の第２延長部２２０の間に形成される空間である。収容部は、多様な形状になり、それぞれの形状は、本発明の範囲に属するものである。
【００２９】
密閉部２１０は、容器本体１００の内部空間を１次的に密閉するためのものであって、蓋部の外側先端及び第２延長部２２０の内側先端の位置から下に突出して、容器本体１００の側壁上端部の内面とフレキシブルに密着される。容器蓋２００が容器本体１００に結合された状態で、密閉部２１０は、容器本体１００の側壁内側面に密着されて容器本体１００の内部が密閉される。それにより、容器本体１００の内部空間に形成される水蒸気圧力は一定に保持される。
【００３０】
第２延長部２２０は、蓋部の外側先端から外側に延びて容器蓋２００のフレームにフランジ形態で形成される。第２延長部２２０の外側先端には、容器本体１００の係止片１２０を取り囲みながら引っ掛かるように形成された締結部２３０が備えられる。また、第２延長部２２０の中間部分は、収容部２２１を形成するように上側に屈曲された形態を有する。敷衍すれば、前記収容部２２１は、第１延長部１１０と半円形状を含む多様な形状に屈曲された状態である第２延長部２２０が互いに結合される場合に発生する空間である。
【００３１】
前記収容部２２１の形状は、四角状、三角状、菱形状など多様な形状にすることができ、特に、水蒸気が先端地点に集まって蓋を上に引っ張る効果を発生する形状、すなわち、緩やかな半円形状よりは少なくとも４５°以上角度以上が望ましい。前記収容部２２１の形状は、１つの例であり、上部面積が広いものと多様な形状に形成されうる。重要な点は、前記収容部２２１に集まられる水蒸気圧力の力が蓋を上側方向に引っ張るようにし、その効果によって締結部２３０が係止片１２０とさらに堅固に結合され、密着されて水蒸気が密閉される効果が表われるようにする構造が望ましい。
【００３２】
前記収容部２２１は、食べ物によって容器本体１００の内部で発生するガスまたは水蒸気圧力によって容器本体１００の内部が膨張すれば、容器本体１００の側面と密閉部２１０との間が開かれて水蒸気が外部に排出されるが、このような水蒸気を収容するために形成されるものである。例えば、収容部２２１に水蒸気が如何なる地点（上部頂点など）に最大に集まれれば、容器蓋２００に備えられた締結部２３０が係止片１２０にさらに堅固に密着して引っ掛かりながら容器蓋２００が上側方向に引っ張られる。このような前記締結部２３０と係止片１２０との相互作用によって、容器蓋２００は容器本体１００にさらに堅固かつ密接に接続されて、容器本体１００の水蒸気の外部への流出を防止する。
【００３３】
締結部２３０は、第２延長部２２０の外側先端の下部に形成され、容器本体１００に形成された係止片１２０を取り囲むように締結されて、容器本体１００の内部空間を２次密閉させる。容器本体１００の内部で発生する水蒸気の圧力によって容器本体１００と容器蓋２００とが膨張すれば、容器本体１００は下側方向に圧力が加えられ、容器蓋２００は上側方向に圧力が加えられるが、この際、容器本体１００に備えられた係止片１２０は、下側方向に圧力が加えられて締結部２３０を押し、容器蓋２００に備えられた締結部２３０は、上側方向に圧力が加えられて係止片１２０とさらに堅固に密閉された状態になる。
【００３４】
一方、漏れた水蒸気は、収容部２２１に集まれ、前述したように、収容部２２１に集まった水蒸気は、上側に容器蓋２００を上げるようになり、それによって、締結部２３０及び係止片１２０がさらに堅く結合されて水蒸気漏れを防止することができる。
【００３５】
また、締結部２３０は、内側方向に屈曲された鉤状に形成されて容器蓋２００を開閉する用途として使われる。例えば、容器蓋２００が容器本体１００に締結された状態でユーザが取っ手２４０を取って上に引っ張れば、締結部２３０は係止片１２０から自然に離脱して容器蓋２００を容器本体１００と分離させる。
【００３６】
取っ手２４０は、容器蓋２００の一側から外側に一定長さ延設され、ユーザが容器蓋２００を容易に開くようにするために備えられうる。また、取っ手２４０は、容器蓋２００が折れるか、巻き取り形態で巻かれた状態でチェック弁３００に固定できるように、長さ方向の外側中間に挿入溝２４１が形成されうる。例えば、図８のように、容器蓋２００を取っ手２４０が形成された反対側から巻き取り形態で巻いた状態でチェック弁３００に形成された嵌挿突起３３０に挿入溝２４１をかけて固定させる。
【００３７】
前記のように、取っ手２４０に挿入溝２４１を形成し、チェック弁３００を差し込んで使用すれば、自由に曲がるようにシリコン材からなる密閉容器１０を保管する時、体積を最小化し、特に、容器本体１００と容器蓋２００とを結合した状態でも、折るか、巻き取り形態で巻いて保管することができるという長所がある。
【００３８】
弾性フックを含むフック２５０は、容器蓋２００の一側一端に形成され、望ましくは、弾性を有するバンド状に形成され、折るか、巻き取り形態で巻いた密閉容器１０を固定するために備えられうる。例えば、使用済の密閉容器１０を図７のフック２５０が備えられた反対側から折るか、巻き取り形態で巻いて取っ手２４０に形成された挿入溝２４１をチェック弁３００に形成された嵌挿突起３３０に１次固定した後、再びフック２５０を外側から内側に差し込んで２次固定させる。すなわち、フック２５０の弾性力によって折るか、巻き取り形態で巻かれた密閉容器１０を加圧して外部衝撃にも解けないようにする。
【００３９】
排出孔２６０は、容器蓋２００の既定の位置（本実施形態において、中央）に形成され、容器蓋２００の内部で発生する水蒸気またはガスを外部に排出させるために形成される。排出孔は、中央の以外に他の位置に形成されうる。
【００４０】
チェック弁３００は、排出孔２６０に嵌め込まれ、密閉容器１０の内部で発生する水蒸気またはガスを一定水蒸気圧力状態で開閉するために備えられる。チェック弁３００は、排出孔２６０に嵌め込まれる結合部３１０と、結合部３１０の上部に形成され、排出孔２６０の上面に密着されて排出孔２６０を密閉する開閉板３２０と、開閉板３２０の上部に形成され、取っ手２４０に形成された挿入溝２４１が差し込まれるように形成された嵌挿突起３３０と、を含む。
【００４１】
結合部３１０は、開閉板３２０の下端に形成され、周り方向に一定間隔離隔して複数個からなるように形成されうる。また、結合部３１０は、排出孔２６０に挿入されて上方または下方に移動する支持台３１１と、支持台３１１の下端に形成され、支持台３１１が上部に移動する時、排出孔２６０の底面に密着されて支持台３１１の移動を制限する密着部３１２と、を含む。
【００４２】
一方、結合部３１０と近接した他の１つの結合部３１０との間に空間部３１３が形成されて、複数個からなる結合部３１０に弾性が生じるようにし、チェック弁３００が上部に移動する時、密閉容器１０の内部で発生する水蒸気またはガスの一定量を空間部３１３を通じて外部に排出させる。
【００４３】
開閉板３２０は、容器蓋２００に形成された排出孔２６０上に位置し、チェック弁３００の移動によって排出孔２６０を密閉または開放するように備えられる。例えば、チェック弁３００を上方に移動させれば、開閉板３２０が排出孔２６０から離隔して結合部３１０に形成された空間部３１３が外部に露出された状態になるが、この際、外部に露出された空間部３１３を通じて密閉容器１０の内部で発生する水蒸気またはガスを外部に排出させる。
【００４４】
嵌挿突起３３０は、開閉板３２０の上面と離隔して形成され、開閉板３２０と嵌挿突起３３０との間に溝を形成させて、取っ手２４０に形成された挿入溝２４１の内側面が差し込まれて固定させる。
【００４５】
前記のようなチェック弁３００を容器蓋２００の中央に設置して使用すれば、密閉容器１０の内部で発生する水蒸気によって一定圧力以上発生する場合、密閉容器１０の爆発する場合が生じるが、このような爆発を防止するために、本発明でチェック弁３００を設置して使用する。
【００４６】
すなわち、密閉容器１０の内部に一定圧力以上発生すれば、密閉容器１０の内部が膨張しながら、チェック弁３００が上方に移動するが、この際、上部に移動したチェック弁３００によって密閉容器１０の内部の水蒸気が外部に排出される。
【００４７】
図９Ａないし図９Ｃは、本発明の他の実施形態による水蒸気密閉容器の容器本体と容器蓋との締結方式を示す図面である。
【００４８】
容器本体１００’の側壁のフレームに沿って外側に水平に１次延びて、フランジ形態で形成された第１延長部１１０と、第１延長部１１０の先端から下側に折り曲げられて容器蓋２００が固定されるように、２次延長係止片１２０と、が形成される。
【００４９】
容器本体１００’は、側壁のフレームに沿って外側に水平に１次延びて、フランジ形態で形成された第１延長部１１０及び第１延長部１１０の下部に離隔した状態で側壁から延設される容器収容部１３０を含む。前記容器収容部１３０は、第１延長部１１０の下部で側壁の外側から水平に延びた後に上方に沿って折り曲げられて延びる構造である。すなわち、容器収容部１３０は、容器本体１００’の側壁上端上で第１延長部１１０を取り囲むように形成された構造であって、第１延長部１１０と容器収容部１３０とを通じて上部が開放された構造を形成する。
【００５０】
一方、容器蓋２００’は、容器本体１００’の開口部を覆う密閉部２１０’、第２延長部２２０’、締結部２３０’、取っ手２４０’を備える。
【００５１】
前記締結部２３０’は、第２延長部２２０’の下端から下方に延びる鉤状を有する構造体である。すなわち、容器蓋２００’を容器本体１００’上に結合する過程において、締結部２３０’は、容器収容部１３０の内部空間上に進入し、前記状態で締結部２３０’の下端を成す鉤状は、第１延長部１１０の下端に引っ掛かる。
【００５２】
一方、容器本体１００’の第１延長部１１０の上端と対面する第２延長部２２０’の中間部分は、上側に屈曲されて、半円形を含む形態で多様に形成されて、容器本体１００’の内部で発生する水蒸気が収容される空間である収容部空間を形成しうる。
【００５３】
締結部２３０’は、容器収容部１３０に収容されて締結される形態であって、締結部２３０’と容器収容部１３０は、弾性変形されて結合及び分離される。締結部２３０’と容器収容部１３０を除いた残りの構成は、図１ないし図８に示された水蒸気密閉容器の実施形態と同一なので、これについての詳細な説明は省略する。
【００５４】
図１０Ａは、本発明の他の実施形態による水蒸気密閉容器の容器本体と容器蓋との締結方式を示す図面である。図１０Ａを参照すれば、容器本体４００は、第１延長部１１０の既定の位置、例えば、先端に形成された係合溝４２０を備える。係合溝４２０は、上部が開放された溝であって、上端開口部が内部よりも狭く形成される。容器蓋５００は、第２延長部２２０の外側先端に下に突設される係合突起５３０を備える。前記係合突起は、前記係合溝に対応する位置に形成されるものであって、前記先端は１つの例である。
【００５５】
係合突起５３０は、係合溝４２０に収容されて締結される形態であって、係合溝４２０と係合突起５３０は、弾性変形されて結合及び分離される。係合溝４２０と係合突起５３０を除いた残りの構成は、図１ないし図８に示された実施形態の水蒸気密閉容器と同一なので、これについての詳細な説明は省略する。
【００５６】
また、図１０Ｂの実施形態には、図５に示された締結部２３０の構成が追加される。すなわち、図５に示された締結部２３０が、図１０Ａに示された容器蓋５００の先端に形成されて、係合溝４２０が形成されて、下に突出した部分を下で取り囲むように締結される。
【００５７】
敷衍すれば、図１０Ｂに示されたように、前記容器蓋は、前記第１延長部の先端を下で取り囲むように、前記第２延長部の先端に形成され、端部のサイズ（表面積）が端部と連結される連結部の厚さよりもさらに大きな別途の締結部をさらに備えて、締結時に容易に抜けないようにすることを特徴とする。
【００５８】
図１１と図１２は、本発明のさらに他の実施形態による水蒸気密閉容器のチェック弁を示す図面である。図１１と図１２とを参照すれば、チェック弁６００は、弁胴体６１０と、弁胴体６１０の内部に収容されるコークス６２０と、弁胴体６１０の内部に収容されてコークス６２０を押す弾性部材６３０と、を含む。
【００５９】
弁胴体６１０は、容器蓋２００に形成された排出孔２６０に差し込まれる結合部材６１１と、結合部材６１１の上端に結合される栓部材６１７と、を備える。
【００６０】
結合部材６１１は、容器蓋２００の排出孔２６０に差し込まれて排出孔２６０を閉鎖する。結合部材６１１の内部には、弁空間６１２が形成される。結合部材６１１には、弁空間６１２と容器本体１００の内部空間とを連結する内側通路６１３と、弁空間６１２と容器蓋２００の外部とを連結する外側通路６１４と、が形成される。弁空間６１２には、コークス６２０と弾性部材６３０とが収容される。結合部材６１１の上端は開放され、開放された上端は、栓部材６１７によって閉鎖される。
【００６１】
栓部材６１７は、結合部材６１１の開放された上端を塞ぐように結合部材６１１に結合される。栓部材６１７には、弾性部材６３０が差し込まれるように突出した突出部６１８が形成される。
【００６２】
コークス６２０は、弁胴体６１０の弁空間６１２に収容されて、図１０に示されたような状態で内側通路６１３を塞ぐ。コークス６２０は、弁空間６１２で移動可能であり、コークス６２０が移動して、図１１に示したように、内側通路６１３から離れた状態で位置すれば、内側通路６１３と弁空間６１２とが連結され、容器胴体１１０の内部空間の水蒸気は、内側通路６１３、弁空間６１２及び外側通路６１４を経て外部に排出される。
【００６３】
弾性部材６３０は、弁胴体６１０の弁空間６１２に収容されて、コークス６２０が内側通路６１３を塞ぐ状態を保持するようにコークス６２０に弾性力を提供する。本実施形態において、弾性部材６３０は、圧縮コイルバネであって、一端はコークス６２０に差し込まれ、他端は栓部材６１７の突出部６１８に差し込まれる。弾性部材６３０の弾性係数によって排出圧力が調節される。
【００６４】
図１３と図１４は、本発明のさらに他の実施形態による水蒸気密閉容器のチェック弁を示す図面である。図１３と図１４とを参照すれば、チェック弁７００は、弁胴体７１０と、弁胴体７１０に結合される弁蓋７２０と、を備える。
【００６５】
弁胴体７１０は、容器蓋２００の排出孔２６０に差し込まれて排出孔２６０を閉鎖する。弁胴体７１０の内部には、弁空間７１２が形成される。弁胴体７１０には、弁空間７１２と容器本体１００の内部空間とを連結する内側通路７１３と、弁空間７１２と容器蓋２００の外部とを連結する外側通路７１４と、が形成される。外側通路７１４は、弁空間７１２の上端が開放されて形成された通路である。外側通路７１４は、弁蓋７２０によって開閉される。
【００６６】
弁蓋７２０は、弁胴体７１０の外側通路７１４を開閉するように弁胴体７１０の開放された上端に弁胴体７１０に対して移動可能に挿設される。弁蓋７２０は、弁胴体７１０の開放された上端である外側通路７１４を通じて弁空間７１２の内部に挿入される挿入部７２１と、挿入部７２１の上端に位置して外側通路７１４を覆う蓋板部７２５と、を備える。図１２に示したように、蓋板部７２５が外側通路７１４と接する場合には、外側通路７１４を通じる水蒸気の排出が防止され、図１３に示したように、容器胴体１００の内部空間の圧力が上昇して弁蓋７２０が持ち上げられれば、蓋板部７２５が外側通路７１４と分離されて、外側通路７１４を通じて容器胴体１００の内部の水蒸気が外部に排出される。弁蓋７２０の重量によって排出圧力が調節される。
【００６７】
以上、実施形態を通じて本発明を説明したが、本発明は、これに制限されるものではない。前記実施形態は、本発明の趣旨及び範囲を外れずに修正または変更され、当業者は、このような修正と変更も本発明に属するものであるということが分かる。
【図１】
2021532026.tif 000003
【図２】
2021532026.tif 000004
【図３】
2021532026.tif 000005
【図４】
2021532026.tif 000006
【図５】
2021532026.tif 000007
【図６】
2021532026.tif 000008
【図７】
2021532026.tif 000009
【図８】
2021532026.tif 000010
【図９Ａ】
2021532026.tif 000011
【図９Ｂ】
2021532026.tif 000012
【図９Ｃ】
2021532026.tif 000013
【図１０Ａ】
2021532026.tif 000014
【図１０Ｂ】
2021532026.tif 000015
【図１１】
2021532026.tif 000016
【図１２】
2021532026.tif 000017
【図１３】
2021532026.tif 000018
【図１４】
2021532026.tif 000019
【国際調査報告】
2021532026.tif 000020
2021532026.tif 000021
2021532026.tif 000022
2021532026.tif 000023